(57)【要約】  本発明に係るネイル用ステッカーは円形のメイン部と、前記メイン部の周囲の一つの側から内側に陥入形成された陥入部を含む前記陥入部は前記メイン部の周囲に沿って複数形成されるように具現して、基本的に爪の表面上にジェル塗料を塗布することにおいてジェル塗料と直接触れ合う爪の表面の面積を最小化し、爪からジェル塗料を除去する際には爪の表面に損傷が最小化されるようにする。【特許請求の範囲】
【請求項１】
円形のメイン部と、
前記メイン部の周囲の一つの側から内側に陥入形成された陥入部を含む、
前記陥入部は前記メイン部の周囲に沿って複数形成されたことを特徴とするネイル用ステッカー。
【請求項２】
第１項において、
前記ネイル用ステッカーは、
互いに隣接する二つの陥入部の間から外側に延長された尾部を含む形状に具現されることを特徴とするネイル用ステッカー。
【請求項３】
第２項において、
前記の陥入部は、
前記メイン部の上側中央に陥入形成された上部陥入部と、
前記メイン部の両側部から各二つずつ対称的に形成された四つの側面陥入部および、
前記メイン部の下側中央からそれぞれ離隔された二つの点から形成された二つの下面陥入部に形成されることを特徴とするネイル用ステッカー。
【請求項４】
第３項において、
前記の尾部は、
前記二つの下面陥入部の間から外側に延長されることを特徴とするネイル用ステッカー。
【請求項５】
第１項において、
前記の陥入部は、
前記メイン部の周囲の一つの側から最高陥入点に至るまで丸みつけるように形成されることを特徴とするネイル用ステッカー。
【請求項６】
上面に爪の表面と接して粘着される臨時粘着層を形成したネイル付着膜と、澱粉層を介して、前記ネイル付着膜の下面と粘着された吸湿剥離紙を含むアート転写紙;
前記吸湿剥離紙の下面に接着された離型フィルム;
前記アート転写紙の臨時粘着層を覆うことで、角の一つの側が前記ネイル付着膜の角の一つの側と部分的固定接着されたカバーフィルム;を含み、
前記アート転写紙は、
特定の形状を有するように外郭カットされた部位であるデザインカット部を形成し、
前記のデザインカット部が前記アート転写紙内の他の部位とは別に、前記離型フィルムから分離されるようにしたことを特徴とするネイル用ステッカー。
【請求項７】
第６項において、
前記のデザインカット部の前記ネイル付着膜は、
外郭に行くほど厚さが徐々に薄くなるように形成されたテーパー部をさらに含むことを特徴とするネイル用ステッカー。
【請求項８】
カバーフィルム、臨時粘着層を含むネイル付着膜と吸湿剥離紙を含むアート転写紙、離型フィルムが順番に積層形成されたネイル用ステッカーを用いたジェル塗料塗布方法において、
前記アート転写紙において、前記カバーフィルムと、前記離型フィルムを順番に分離するフィルム分離段階;
前記臨時粘着層と爪の表面が触れ合うように配置させる臨時粘着段階;
前記吸湿剥離紙に少量の水を提供する水分供給段階;
前記臨時粘着層を介して爪の表面に粘着配置された前記ネイル付着膜から前記吸湿剥離紙を分離させる吸湿剥離紙分離段階;
前記ネイル付着膜を爪側に加圧して爪の表面に密着させるネイル付着膜固定段階;
残りの水分を除去し、爪の表面の一部と前記ネイル付着膜の表面にジェル塗料を塗布するジェル塗料塗布段階と；
前記ジェル塗料をランプの下で硬化させるキュアリング段階;を含むことを特徴とする、ネイル用ステッカーを用いたジェル塗料塗布方法。
【請求項９】
第８項において、
前記ネイル付着膜の固定段階は、
少量の水を追加で加えた後、望む方向に加圧して、前記ネイル付着膜の位置を移動させる位置修正段階;をさらに含むことを特徴とする、ネイル用ステッカーを用いたジェル塗料塗布方法。
【請求項１０】
第８項において、
前記ネイル付着膜は、
一つの側で内側に陥入形成された陥入部が周囲に沿って複数の形成された円形のメイン部と、互いに隣接する二つの陥入部の間から外側に延長された尾部を含み、
前記臨時粘着段階は、
前記ネイル付着膜の前記尾部の延長方向が爪の成長方向を向くように配置固定することを特徴とする、ネイル用ステッカーを用いたジェル塗料塗布方法。
【発明の詳細な説明】
【技術分野】
【０００１】
本発明はネイルアート施術時の利便性を向上させ、完成度を高めることができるよう設計されたウォーターデカール方式のネイル用ステッカーとこれをジェルネイル施術に適用してジェルネイルの短所であるジェル塗料除去時の爪の表面の損傷を最小限に抑えることができようにするジェル塗料塗布方法に関するものである。
【背景技術】
【０００２】
韓国では１９８０年代以降、ネイル産業が一つの美容業種として認識され始めて、最近は爪の外面に人為的なデザインを形成することにより、自分の個性を表わしたい人が急激に増加するにつれてネイルアートの技法が多様に発展している。
【０００３】
この一環として従来のエナメルマニキュアの短所である長い乾燥時間、光沢の維持期間、人体有害性などを解消するためにＵＶ条件下で約１分以内の時間内に強く硬化されるジェルネイル方式が開発されて最近脚光を浴びている。ジェルネイル方式に適用されるジェル塗料は短い乾燥時間、光沢性、長い維持期間などの利点を持つものの、爪のジェル塗料を除去する過程が一般的に爪の表面を削り出す方式で行われるため、爪の損傷を惹起し、これにより一定期間内の反復的な施術が不可能だという致命的な欠点があった。
【０００４】
これらの欠点を克服するために、韓国登録特許第１３４２４９２号「ＵＶジェル層塗布用ネイルステッカー及びその適用方法」は天然爪の上にネイルステッカーの上にＵＶジェルを塗布することによりＵＶジェル層が持つ高級感効果をそのまま出すことができるだけでではなくＵＶジェルを剥ぐ時にも手軽にネイルステッカーを削除することができ、有害な有機溶剤を使用しなくても簡単にＵＶジェルを除去することができる利点を有するものと記載されている。しかし、前記の先行技術を含む従来のジェルネイルに適用されるネイルステッカーの場合、硬質ステッカーの材質上厚みがあり、凹凸のある爪の表面全体に密着されず、浮き、シワ現象が発生し、ステッカーの上部にジェル塗料が滑らかに塗ってないという欠点があった。また、爪の表面にステッカーを接着させる過程で浮き現象が発生した事実を認知した場合でも簡単な修正が不可で、接着されたステッカーをはがして新しい製品に再手術を行う必要がある面倒が発生した。
【０００５】
一方、詰めの表面に、より成功にデザインされた形状を実現するためにつめのステッカーが開発されて活性化されているが、その中でも特に爪の表面に違和感なく安定的に付着することができるウォーターデカール方式（水転写方式）の軟質ステッカーがさらに好まれている傾向にある。従来のウォーターデカール方式は所望のデザインが印刷された部位を切り取り、これを水につけた後一定時間を経過させて剥離紙とフィルムが分離されると、フィルムを爪上面に付着させる過程を介して行われ、多くの時間と手間を惹起させるだけでなく、所望の形状に精巧に付着させることが難しかった。また、分離されたフィルム自体に接着力がなくでトップコートなどを媒介として別のコーティング過程を遂行させなければ爪で安定的に固定されかねないという欠点があった。
【０００６】
これに施術過程をさらに簡素化させて施術の利便性を最大限にすると同時に、曲面の爪上でフィルムが浮きせずに安定して付着することができるネイルステッカーを開発する必要性がある。
【０００７】
したがって、上述した問題点を改善して熟練したネイリストにたよらなくてもより完成度の高いネイルアート施術が可能になるようにするより新規で進歩したネイル用ステッカー及びこれを用いたジェル塗料塗布方法の開発が必要実情である。
【発明の概要】
【発明が解決しようとする課題】
【０００８】
本発明は、ジェル塗料や爪の表面との間の面積の一部にネイル付着膜が挿入配置されるようすることで、従来の爪からジェル塗料を除去する過程で一般的に行われていた爪の表面を削り出す過程で惹起した爪の損傷の可能性を根本的に遮断することを主な目的とする。
【０００９】
本発明の他の目的はウォーターデカール方式を適用するが、従来の方式とは異なる簡単な方法で爪の表面にさらに密着させることができるようにして、熟練したアーティストがいなくても短時間で完成度の高いセルフネイル施術が可能になるようすることである。
本発明のもう一つの狙いはネイル付着膜の形状が陥入部と尾部を含むようにすることで人間工学的に設計されてジェル塗料が塗布された状態で、爪が成長して曲率が変化する場合にも違和感なく密着した状態が効果的に維持されるようにすることである。
【課題を解決するための手段】
【００１０】
前記目的を達成するために、本発明に係るネイル用ステッカーの形状は、円形のメイン部と、前記メイン部の周囲の一つの側から内側に陥入形成された陥入部を含む前記陥入部は前記メイン部の周囲に沿って複数形成されたことを特徴とする。
【００１１】
また、前記ネイル用ステッカーは互いに隣接する二つの陥入部の間から外側に延長された尾部を含む形状に具現される。
【００１２】
加えて、前記の陥入部は前記メイン部の上側中央に陥入形成された上部陥入部と前記メイン部の両側部から各二つずつ対称的に形成された四つの側面陥入部および、前記メイン部の下側中央からそれぞれ離隔された二つの点から形成された二つの下面陥入部に形成される。
【００１３】
さらに、前記の尾部は前記二つの下面陥入部の間から外側に延長される。
【００１４】
さらに、前記の陥入部は前記メイン部の周囲の一つの側から最高陥入点に至るまで丸みつけるように形成される。
【００１５】
本発明のネイル用ステッカーの積層構成は、上面に爪の表面と接して粘着される臨時粘着層を形成したネイル付着膜と、澱粉層を介して、前記ネイル付着膜の下面と粘着された吸湿剥離紙を含むアート転写紙；前記吸湿剥離紙の下面に接着された離型フィルム；前記アート転写紙の臨時粘着層を覆うことで、角の一つの側が前記ネイル付着膜の角の一つの側と部分的固定接着されたカバーフィルム;を含み、前記アート転写紙は、特定の形状を有するように外郭カットされた部位であるデザインカット部を形成し、前記のデザインカット部が前記アート転写紙内の他の部位とは別に、前記離型フィルムから分離されるようにする。
【００１６】
前記のデザインカット部の前記ネイル付着膜は、外郭に行くほど厚さが徐々に薄くなるように形成されたテーパー部をさらに含んでいる。
【００１７】
本発明のネイル用ステッカーを用いたジェル塗料塗布方法として、前記アート転写紙において、前記カバーフィルムと、前記離型フィルムを順番に分離するフィルム分離段階；前記臨時粘着層と爪の表面が触れ合うように配置させる臨時粘着段階；前記吸湿剥離紙に少量の水を提供する水分供給段階；前記臨時粘着層を介して爪の表面に粘着配置された前記ネイル付着膜から前記吸湿剥離紙を分離させる吸湿剥離紙分離段階；前記ネイル付着膜を爪側に加圧して爪の表面に密着させるネイル付着膜固定段階；残りの水分を除去し、爪の表面の一部と前記ネイル付着膜の表面にジェル塗料を塗布するジェル塗料塗布段階と；前記ジェル塗料をランプの下で硬化させるキュアリング段階；を含むことを特徴とする。
【００１８】
また、前記ネイル付着膜の固定段階は、少量の水を追加で加えた後、望む方向に加圧して、前記ネイル付着膜の位置を移動させる位置修正段階;をさらに含んでいる。
【００１９】
加えて、前記臨時粘着段階は、前記ネイル付着膜の前記尾部の延長方向が爪の成長方向を向くように配置固定することを特徴とする。
【発明の効果】
【００２０】
本発明に係るネイル用ステッカー及びこれを用いたジェル塗料塗布方法は、
１）ジェル塗料や爪の表面との間の面積の一部にネイル付着膜が挿入配置されるようすることで、従来の爪でジェル塗料を除去する過程で一般的に行われていた爪の表面を削り出す過程によって惹起した爪の損傷の可能性を根本的に遮断し、
２）ウォーターデカール方式を適用するが、従来の方式とは異なる簡単な方法で爪の表面にさらに密着させることができるようにして、熟練したアーティストがいなくても、短時間で完成度の高いセルフネイルが可能になるようにし、
３）ネイル付着膜の形状が陥入部と尾部を含むようにすることで、人間工学的に設計されてジェル塗料が塗布された状態で、爪が成長して曲率が変化する場合にも、違和感なく密着した状態が効果的に維持されるようにする効果がある。
【図面の簡単な説明】
【００２１】
【図１】本発明に係るネイル用ステッカーの全体的な形状を示した斜視図。
【図２】本発明のネイル用ステッカーの一実施例を示す平面図。
【図３】本発明のネイル用ステッカーの積層構成を示す断面図。
【図４】本発明のネイル用ステッカーを用いたジェル塗料塗布方法を示した順序図。
【図５】本発明のネイル用ステッカーを用いたジェル塗料塗布方法の実施例を示した写真。
【図６】本発明のネイル用ステッカーを用いたジェル塗料塗布方法を使用して爪の表面に形成されたジェル塗料を除去する過程を示した写真。
【発明を実施するための形態】
【００２２】
以下、添付された図面を参照して本発明の好適な実施例を詳細に説明する。各図面の同じ参照番号は同じ構成要素を指す。
【００２３】
本発明のネイル用ステッカーは爪の表面に接着されていることでより安定した密着性、固定力と利便性を確保するために平面上で現れる形状的特徴と積層構成で実装されている機能の特徴を同時に持つ。
【００２４】
図１は本発明に係るネイル用ステッカーの全体的な形状を示した写真であり、図２は本発明のネイル用ステッカーの一実施例を示した斜視図である。
【００２５】
図１及び図２を参照して本発明のネイル用ステッカー、特にジェル塗料塗布過程に適用されるネイル用ステッカーの形状的構成を詳細に説明しようとするが、後述する形状的構成は図１に示すように全ネイル用ステッカー（１）中に設計されカッティングされることにより背面に形成された離型フィルム（３００）から分離されている部位であるデザインカット部（２００Ａ）の形状であることが理解されることができ、また、必要に応じて本発明のネイル用ステッカー全体形状自体が後述する構成を持つように具現されても可能である。
【００２６】
前記ネイル用ステッカーは、全体的に円形で具現されたメイン部（２００−１）とメイン部（２００−１）の周囲で陥入形成された陥入部（２００−２）とメイン部（２００−１）の周囲の一つの側から外側に延長された尾部（２００−３）を含んでいる。
【００２７】
メイン部（２００−１）は、ネイル用ステッカー、好ましくはデザインカット部（２００Ａ）の全体的な形状をなすもので、爪の表面に対応されて接着されやすいように一定面積を確保する円形に具現されており、必要に応じて楕円形に形成されることも可能である。
【００２８】
陥入部（２００−２）は、前記メイン部（２００−１）の周囲に凹凸形状を実現するためのもので、メイン部（２００−１）の円の周囲一つの側から内側に一定の深さで陥入形成される。このとき、前記陥入部（２００−２）は爪の表面に適用する時浮き現象を最小化するために角ばった部分なしで全体的に丸みつけるように形成することが望ましい。つまり、前記メイン部（２００−１）の周囲の一つの側から内側に陥入されるために曲げている点、すなわち陥入開始点から前記陥入部（２００−２）の最高陥入点に至るまで角の部分がないようにすべて丸みつけるよう処理されたものである。これらの前記の陥入部（２００−２）は前記メイン部（２００−１）の周囲に沿って複数形成される。
【００２９】
このとき、前記ネイル用ステッカーが曲面で形成された爪の表面により安定的に適用されるようにするために、前記陥入部（２００−２）と前記尾部（２００−３）の形成位置を特定することが望ましい、そのために前記陥入部（２００−２）は一つの上部陥入部（２００−２ａ）と合計４つの側面陥入部（２００−２ｂ）及び２つの下面陥入部（２００−２ｃ）に形成される。
【００３０】
図２を基準に前記メイン部（２００−１）を上側、下側、左側、右側を含む４つの部位に区画したことに基づいて説明すると、前記上部陥入部（２００−２ａ）は、前記メイン部（２００−１）の上側中央部に形成されたものである。
【００３１】
前記側面陥入部（２００−２ｂ）は前記メイン部（２００−１）の両側からそれぞれ２つずつ対称的に形成されたもので左右それぞれの中央部位の上部と下部の時点でそれぞれ前記メイン部（２００−１）の中央部に向かって陥入形成され、図面に示されているように中央を基準に互いに対称されるように合計４つの形成される。
【００３２】
下面陥入部（２００−２ｃ）は前記メイン部（２００−１）の下側中央点の両側のポイントで陥入形成されたものであり、前記上部陥入部（２００−２ａ）と対称される地点の両側で前記メイン部（２００−１）の中央に向かって陥入形成された二つの陥入部である。
また、前記尾部（２００−３）は二つの下面陥入部（２００−２ｃ）との間で外側に長く延長されるように形成して、前記上部陥入部（２００−２ａ）と一直線上に配置されるように形成することができる。
【００３３】
図３は本発明のネイル用ステッカーの積層構成を示す断面図である。
【００３４】
図３を参照して前記ネイル用ステッカーの積層構成を説明すると、前記ネイル用ステッカーは大きくアート転写紙（２００）と離型フィルム（３００）とカバーフィルム（１００）を含んでいる。
【００３５】
アート転写紙（２００）は爪の表面に直接接着されている軟質のフィルムであるネイル付着膜（２１０）と前記ネイル付着膜（２１０）の下面と澱粉層（２２０）を介して粘着された吸湿剥離紙（２３０）を含んでいる。前記アート転写紙（２００）はウォーターデカール方式の接着が可能になるようするための構成として従来の水転写紙に対応する構成であるが、特徴的に前記のネイル付着膜（２１０）の表面に形成されて爪の表面に直接接して粘着されている臨時粘着層（２１０ａ）を含んでいる。
【００３６】
臨時粘着層（２１０ａ）は施術の過程で前記アート転写紙（２００）が爪の表面に配置された状態が一定レベルを維持することができるようにするために備えられるものであり、比較的少ない接着力を持つように少量の接着剤が塗布された形で適用されることが望ましい。前記臨時粘着層（２１０ａ）を構成する組成物は、エラストマーであるアクリル画樹脂、ブチルゴム、酢酸ビニルなどを含むことができるが、高度の接着力が要求されない限り、変性澱粉を主原料とした澱粉の接着剤で形成することができる。
【００３７】
離型フィルム（３００）は前記吸湿剥離紙（２３０）の下面に着脱可能になるよう接着されたもので、乾式環境で外力によって前記吸湿剥離紙（２３０）と分離されるように具現される。
【００３８】
カバーフィルム（１００）は前記臨時粘着層（２１０ａ）の上面を覆うことで、必要に応じて繰り返してカバーと分離が可能になるように形成されることが望ましくで、このために、前記カバーフィルム（１００）の場合はすなわち前記臨時粘着層（２１０ａ）の上面と接触する面に別途の接着剤が塗布されていないのが原則で、前記臨時粘着層（２１０ａ）が形成されたネイル付着膜（２１０）の一つの側と前記カバーフィルム（１００）の一つの側、好ましくは角の一つの側が部分的に完全接着するように形成して前記カバーフィルム（１００）を開け閉めの過程で失われることがないようにすることができる。
【００３９】
このとき、前記アート転写紙（２００）は本発明のネイルステッカーは使用者によって、より便利に利用できるようにするために特定の形状を有するように外郭カットされた部位であるデザインカット部（２００Ａ）をさらに含むことにより前記デザインカット部（２００Ａ）がアート転写紙（２００）内の他の部位とは別に離型フィルム（３００）から分離されるように形成することができる。
【００４０】
また、前記デザインカット部（２００Ａ）のネイル付着膜（２１０）、すなわち爪の表面に上がるネイル付着膜（２１０）は外郭に行くほど厚さが徐々に薄くなるようにテーパー処理されたテーパー部（２１１）を含んで爪との接着においてネイル付着膜（２１０）の枠部位の浮きをより一層防止して、物理的安定性を強化することができる。前記テーパー部（２１１）はデザインカット部（２００Ａ）のネイル付着膜（２１０）の周囲部により形成されたもので、臨時薄膜層を向くように上面に形成されるか、または吸湿剥離紙（２３０）側を向くようにするとに形成されることができ、また、上面と下面に同時に形成されることも可能である。
【００４１】
上述した積層構成を形成した本発明のネイルステッカーはジェルネイル施術においてジェル塗料塗布前の爪の表面に付着してジェル塗料や爪が直接結合される部位を最小限に抑えることによりジェル塗料除去の際、爪の表面に加われる損傷を予防する目的で活用されることができ、また、前記ネイル付着膜（２１０）と前記臨時粘着層（２１０ａ）の間、すなわち前記ネイル付着膜（２１０）の上面に別の画像を印刷した印刷層（図示せず）を追加で形成して前記ネイルステッカーを装飾的に利用することも可能である。この場合、前記印刷層は前記臨時粘着層（２１０ａ）によって、外部の刺激から保護されており、後述するが、既存のウォーターデカール方式とは異なって、臨時粘着層（２１０ａ）が直接爪と接触する方向に適用される本発明のネイルステッカーの特性上爪の表面に適用された後、前記印刷層はネイル付着膜（２１０）によって外部の刺激から保護されることで印刷層に印刷された画像が損なわれる可能性が非常に低く、より効率的な維持可能な特徴がある。
【００４２】
図４は本発明のネイル用ステッカーを用いたジェル塗料塗布方法を示した順序図であり、図５は本発明のネイル用ステッカーを用いたジェル塗料塗布方法の実施例を示した写真である。
【００４３】
図４と図５を参照して説明すると、本発明のジェル塗料塗布方法はフィルム分離段階（Ｓ１）、臨時粘着段階（Ｓ２）、水分供給段階（Ｓ３）、吸湿剥離紙分離段階（Ｓ４）、ネイル付着膜固定段階（Ｓ５）を経て、ネイルステッカーを爪の表面に固定し、その後、ジェル塗料塗布段階（Ｓ６）、キュアリング段階（Ｓ７）を実行してジェルネイル施術を完成することになる。
【００４４】
フィルム分離段階（Ｓ１）はアート転写紙（２００）でカバーフィルム（１００）と離型フィルム（３００）の順に分離する段階と前記アート転写紙（２００）の上面、すなわち臨時粘着層（２１０ａ）を保護するカバーフィルム（１００）を取り外した状態で、好ましくは、前記のデザインカット部（２００Ａ）を離型フィルム（３００）から分離する段階である。
【００４５】
臨時粘着段階（Ｓ２）は分離されたデザインカット部（２００Ａ）の臨時粘着層（２１０ａ）が爪の表面と並ぶように配置させる段階ではこのとき、上述した形状的構成、すなわち、メイン部（２００−１）、陥入部（２００−２）と尾部（２００−３）を含む前記デザインカット部（２００Ａ）はメイン部（２００−１）が爪の内側、尾部（２００−３）が爪の外側に配置するように、すなわち、前記尾部（２００−３）の延長方向が爪の成長方向を向くように爪の表面上に付着されるようにすることにより、前記ネイル付着膜（２１０）と爪表面の一部とそれぞれ結合面を形成するように塗布されるジェル塗料がより安定的に爪の上に形成されるようすることを基本とし、今後の爪が伸びるに応じて爪先端部の曲率が自然に変化するところ、その部位に適用されるステッカーの面積を最小限に抑えて爪の成長に伴う浮き現象を最小限に抑えている。
【００４６】
水分供給段階（Ｓ３）は、前記の一時的接着手順で爪を基準に上部に露出された吸湿剥離紙（２３０）に少量の水を濡らす段階で、このとき少量の水は一滴でも十分だろう。
吸湿剥離紙分離段階（Ｓ４）は前記臨時粘着層（２１０ａ）を介して爪の表面に粘着配置された前記ネイル付着膜（２１０）から前記吸湿剥離紙（２３０）を分離させる段階である。つまり、水分を吸収した前記吸湿剥離紙（２３０）は、前記澱粉層（２２０）に水分を伝達するようになり、これにより前記吸湿剥離紙（２３０）はネイル付き膜（２１０）から自然に剥離されるが、剥離過程は数秒以内に完了することになる。
【００４７】
ネイル付着膜固定段階（Ｓ５）は吸湿剥離紙（２３０）が分離された状態で一時的に粘着層（２１０ａ）だけで不完全に固定されたネイル付着膜（２１０）を爪の表面に安定的に密着固定させることでネイル付き膜（２１０）を爪側にそっと押して加圧する過程で行われる。このとき加圧過程でのミスでネイル付着膜（２１０）が望む位置に固定されていない場合には位置修正段階（Ｓ５−１）をさらに含むことができる。
【００４８】
位置修正段階（Ｓ５−１）は望まない位置に配置されたネイル付着膜（２１０）に少量の水を追加で加えた後、所望の方向にそっと押して加圧する段階で、追加で提供された少量の水によって前記ネイル付着膜（２１０）が爪の表面との密着力が落ちる原理を利用してネイル付着膜（２１０）の位置を移動させることである。前記位置修正段階が適用されるに応じて不要な位置にネイル付着膜（２１０）が密着されても新しい製品を適用する必要がなく、位置の変更が可能で経済的である。
【００４９】
ジェル塗料塗布段階（Ｓ６）は、爪上の残りの水分をコットンや綿棒などを利用して、簡単にふき取った後、前記ネイル付着膜（２１０）の表面とネイル付着膜（２１０）が形成されていない爪の表面中の残りの部位にジェル塗料を塗布する段階であって、一般的なネイルカラーリングの過程と同じ過程に進み、キュアリング段階（Ｓ７）は塗布されたジェル塗料をＵＶランプ下で一定時間の間に配置して硬化させる段階である。
【００５０】
図６は本発明のネイル用ステッカーを用いたジェル塗料塗布方法を使用して爪の表面に形成されたジェル塗料を除去する過程を示した写真である。
【００５１】
図６を見て分かるように本発明のジェル塗料塗布方法を使用して爪の表面に形成されたジェル塗料は単純な過程を介して爪表面を損傷することなく除去することができることを確認した。ジェル塗料の除去のためにキューティクル周辺部位にオイルを塗布して所定時間放置させてジェル塗料や爪の表面との間の円滑な剥離を誘導するオイルマッサージ段階、ウッドスティックを活用してジェル塗料塗布部位のキューティクル側中央部位が爪の表面と部分的に分離することができるようにする部分分離段階と、前記部分分離段階を経て離隔された中央部から枠方向にスライドさせて出して全体を分離する全体分離段階と、爪の表面残留異物をアセトンなどの除去溶液を活用して除去する段階になる。
【００５２】
前記の部分分離段階は特に上部陥入部（２００−２ａ）側と対応する部位で適用されることが好ましく、これにより部分分離されたジェル塗料は全体分離段階で前記ネイル付着膜（２１０）と爪表面の自然な分離とともに、より安定的に爪の表面から全体的に分離される。
【００５３】
これにより本発明のジェル塗料塗布方法を利用すれば、ジェル塗料の溶解のために、別の溶液に浸漬させるなどの面倒で有害な過程を実行することなく、簡単でスムーズに物理的にジェル塗料を除去することができて安全で、便利である。
【００５４】
これまでに説明したように、本発明に係るネイル用ステッカー及びこれを用いたジェル塗料塗布方法および除去方法の構成と作用を前記の説明及び図面に表現したが、これは例えば説明したものに過ぎず、本発明の思想が前記の説明と図面に限定されず、本発明の技術的思想を逸脱しない範囲内で多様な変化及び変更が可能であることはもちろんである。
【符号の説明】
【００５５】
１  ネイル用ステッカー
１００  カバーフィルム
２００  アート転写紙
２００Ａ  デザインカット部
２００−１  メイン部
２００−２  陥入部
２００−２ａ  上部陥入部
２００−２ｂ  側面陥入部
２００−２ｃ  下面陥入部
２００−３  尾部
２１０  ネイル付着膜
２１０ａ  臨時粘着層
２１１  テーパー部
２２０  澱粉層
２３０  吸湿剥離紙
３００  離型フィルム
Ｓ１  フィルム分離段階
Ｓ２  臨時粘着段階
Ｓ３  水分供給段階
Ｓ４  吸湿剥離紙分離段階
Ｓ５  ネイル付着膜固定段階
Ｓ５−１  位置修正段階
Ｓ６  ジェル塗料塗布段階
Ｓ７  キュアリング段階
【図１】
2019506267.tif 000002
【図２】
2019506267.tif 000003
【図３】
2019506267.tif 000004
【図４】
2019506267.tif 000005
【図５】
2019506267.tif 000006
【図６】
2019506267.tif 000007
【国際調査報告】
2019506267.tif 000008
2019506267.tif 000009
2019506267.tif 000010
2019506267.tif 000011